(57)【要約】【課題】吸収性コアが変形しても、外観上のフィット性が損なわれ難い、使い捨ておむつを提供すること。【解決手段】おむつ１は、表面シート２、裏面シート３、及びこれら両シート２，３間に介在された吸収体４を備えている。吸収体４は、吸収性コア４０を含んでおり、該吸収性コア４０は、股下部Ｃに、低積繊部からなり、長手方向Ｘに延びる中央折曲誘導部４３と、低積繊部からなり、該中央折曲誘導部４３の両側それぞれに位置し、長手方向Ｘに延びる一対の側部折曲誘導部４４とを有している。裏面シート３は、中央折曲誘導部４３と一対の側部折曲誘導部４４それぞれとの間に位置し、長手方向Ｘに延びる一対の内側接合部１３、及び一対の側部折曲誘導部４４それぞれより幅方向Ｙの外方に位置し、長手方向Ｘに延びる一対の外側接合部１４，１４において、吸収性コア４０の非肌対向面を被覆する被覆シートと接合されている。【選択図】図３
2019118438.tif 000002
【特許請求の範囲】
【請求項１】
表面シート、裏面シート、及びこれら両シート間に介在された吸収体を備え、着用者の腹側に配される腹側部、股間部に配される股下部及び背側に配される背側部を有すると共に、該腹側部から該股下部を介して該背側部に延びる長手方向、及び該長手方向に直交する幅方向とを有する、使い捨ておむつであって、
前記吸収体は、吸収性コアを含んでおり、該吸収性コアは、前記股下部に、低積繊部からなり、前記長手方向に延びる中央折曲誘導部と、低積繊部からなり、該中央折曲誘導部の両側それぞれに位置し、前記長手方向に延びる一対の側部折曲誘導部とを有しており、
前記裏面シートは、前記中央折曲誘導部と前記一対の側部折曲誘導部それぞれとの間に位置し、前記長手方向に延びる一対の内側接合部、及び前記一対の側部折曲誘導部それぞれより前記幅方向の外方に位置し、前記長手方向に延びる一対の外側接合部において、前記吸収性コアの非肌対向面を被覆する被覆シートと接合されている、使い捨ておむつ。
【請求項２】
前記内側接合部は、前記中央折曲誘導部及び前記側部折曲誘導部それぞれに比して、前記長手方向の長さが長い、請求項１に記載の使い捨ておむつ。
【請求項３】
前記内側接合部は、前記幅方向において前記中央折曲誘導部と前記側部折曲誘導部との間隔を２等分する間隔中央線より、該中央折曲誘導部側に位置している、請求項１又は２に記載の使い捨ておむつ。
【請求項４】
前記外側接合部は、前記内側接合部に比して、前記幅方向の長さが長い、請求項１〜３の何れか１項に記載の使い捨ておむつ。
【請求項５】
前記腹側部及び前記背側部の何れかを示す表記を有し、前記内側接合部が、該表記と重ならない位置に配されている、請求項１〜４の何れか１項に記載の使い捨ておむつ。
【請求項６】
前記裏面シートと前記被覆シートとの接合面積の合計が、前記吸収性コアの面積に対して４０％以下である、請求項１〜５の何れか１項に記載の使い捨ておむつ。
【請求項７】
前記裏面シートと前記被覆シートとの間に、前記長手方向に延び、水分と接触して変色するインジケーターを有し、該インジケーターが、前記一対の内側接合部間に配されている、請求項１〜６の何れか１項に記載の使い捨ておむつ。
【請求項８】
前記インジケーターが、前記内側接合部と前記外側接合部との間にも配されている、請求項７に記載の使い捨ておむつ。
【請求項９】
前記裏面シートと前記被覆シートとの間に、前記長手方向に延び、水分と接触して変色するインジケーターを有しており、
前記吸収性コアは、前記股下部の前記幅方向の中央部に形成された高坪量部と、該高坪量部より低坪量の低坪量部とを有しており、
前記一対の内側接合部及び前記インジケーターはそれぞれ、前記長手方向において前記高坪量部及び前記低坪量部に亘って配されている、請求項１〜７の何れか１項に記載の使い捨ておむつ。
【発明の詳細な説明】
【技術分野】
【０００１】
本発明は、使い捨ておむつに関する。
【背景技術】
【０００２】
使い捨ておむつとして、表面シートと、裏面シートと、これら両シート間に介在される吸収体を具備したものが汎用されている。吸収体は、吸収性能を有する吸収性コアと、該吸収性コアを被覆するコアラップシートとを含んで構成されることが一般的である。尿等の排泄物の漏れ防止効果や良好な着用感を得る観点から、吸収性コアを着用者の身体に沿って変形させる技術が知られている。
例えば、本出願人は、先に、股下部における幅方向中央部に高坪量部と、該高坪量部の両側に低坪量部とを有する吸収性コアを備え、該高坪量部に、吸収性コアの長手方向に延びるスリット、溝又は非積繊部からなる中央折曲誘導部を有し、低坪量部それぞれに、非積繊部からなる側部折曲誘導部を有しており、吸収性コアの長手方向の腹側部側においては、中央折曲誘導部が側部折曲誘導部の端部位置より延出し、該長手方向における背側部側においては、側部折曲誘導部が中央折曲誘導部の端部位置より延出している、使い捨ておむつを提案している（特許文献１参照）。
【０００３】
また、使い捨ておむつとして、尿との接触により呈色するインジケーターが塗工されたインジケーター塗工部を有するものが知られている。例えば、特許文献２には、バックシートの裏面等に、尿との接触により呈色するインジケーターが塗工されたインジケーター塗工部が形成されるとともに、インジケーター塗工部の形成面等に、吸収性物品の構成部材同士を接合する接着剤が塗工された接着剤塗工部が形成されており、インジケーター塗工部と接着剤塗工部とが非重畳的に配置されている吸収性物品が記載されている。特許文献２によれば、尿と接触する前にインジケーターが意図せず呈色してしまう不具合を防止することができる。
【先行技術文献】
【特許文献】
【０００４】
【特許文献１】特開２０１２−１６４３５号公報
【特許文献２】特開２００９−２３２９８７号公報
【発明の概要】
【発明が解決しようとする課題】
【０００５】
特許文献１に記載の使い捨ておむつは、股下部において吸収性コアの中央折曲誘導部が山部、側部折曲誘導部が谷部となるよう、幅方向断面形状がＷ字状になるように屈曲する。これと共に、腹側部側においては、中央折曲誘導部の端部を側部折曲誘導部の端部位置より延出させ、背側部側においては、側部折曲誘導部の端部を中央折曲誘導部の端部位置より延出させることで、優れた漏れ防止効果や着用感が得られる。
しかし、吸収性コアを幅方向断面形状がＷ字状になるように屈曲させると、吸収体自体は着用者の身体に沿ってフィットしているにも拘わらず、吸収性コアが立体的に屈曲することで使い捨ておむつが嵩張り、フィット性が悪くなった印象を与えることがある。特許文献１は、吸収性コアの屈曲によって、外観上のフィット性の低下を解消する技術を開示していない。特許文献２に記載の技術は、インジケーター塗工部と接着剤塗工部とを重ならないように形成することで、インジケーターの意図しない呈色を防止する技術であり、吸収性コアの変形については考慮されていない。
【０００６】
本発明の課題は、前述した従来技術が有する欠点を解消し得る使い捨ておむつを提供することにある。
【課題を解決するための手段】
【０００７】
本発明は、表面シート、裏面シート、及びこれら両シート間に介在された吸収体を備え、着用時に着用者の前後方向に一致する長手方向、及び該長手方向に直交する幅方向とを有し、着用者の腹側に配される腹側部、股間部に配される股下部及び背側に配される背側部を有する使い捨ておむつであって、前記吸収体は、吸収性コアを含んでおり、該吸収性コアは、前記股下部に、低積繊部からなり、前記長手方向に延びる中央折曲誘導部と、低積繊部からなり、該中央折曲誘導部の両側それぞれに位置し、前記長手方向に延びる一対の側部折曲誘導部とを有しており、前記裏面シートは、前記中央折曲誘導部と前記一対の側部折曲誘導部それぞれとの間に位置し、前記長手方向に延びる一対の内側接合部、及び前記一対の側部折曲誘導部それぞれより前記幅方向の外方に位置し、前記長手方向に延びる一対の外側接合部において、前記吸収性コアの非肌対向面を被覆する被覆シートと接合されている、使い捨ておむつを提供するものである。
【発明の効果】
【０００８】
本発明によれば、吸収性コアが変形しても、外観上のフィット性が損なわれ難い、使い捨ておむつが提供される。
【図面の簡単な説明】
【０００９】
【図１】図１は、本発明の一実施形態であるパンツ型使い捨ておむつを示す斜視図である。
【図２】図２は、図１に示すパンツ型使い捨ておむつの展開且つ伸長状態を肌対向面側から見た平面図である。パンツ型使い捨ておむつについての展開且つ伸長状態は、サイドシール部を引き剥がして、パンツ型使い捨ておむつを展開状態とし、その展開状態のおむつを、各部の弾性部材を伸長させて、設計寸法（弾性部材の影響を一切排除した状態で平面状に広げたときの寸法と同じ）となるまで拡げた状態をいう。
【図３】図３は、図２のＩ−Ｉ線断面図である。
【図４】図４は、図２に示す吸収性コアにおける中央折曲誘導部、側部折曲誘導部、一対の内側接合部及び一対の外側接合部の配置関係を示す平面図である。
【図５】図５（ａ）は、着用状態の図１に示すパンツ型使い捨ておむつの吸収体と裏面シートとの股下部における幅方向の断面を示す模式図であり、図５（ｂ）は、本発明の構成を具備しないパンツ型使い捨ておむつの図５（ａ）相当図である。
【図６】図６（ａ）〜（ｃ）、本発明に係る内側接合部及び外側接合部の配置パターンを示す平面図である。
【図７】図７は、おむつの非肌対向面の表記と内側接合部との好ましい配置を示す平面図である。
【図８】図８は、本発明の別の実施形態である使い捨ておむつの要部を示す幅方向模式断面図である。
【図９】図９は、図８に示すおむつの図４相当図である。
【発明を実施するための形態】
【００１０】
以下に、本発明の吸収性物品をその好ましい実施形態に基づき図面を参照しながら説明する。
本発明の一実施形態である使い捨ておむつ１について、図１〜図３を参照しつつ説明する。図１に示すように、本実施形態の使い捨ておむつ１（以下、おむつ１ともいう）は、パンツ型の使い捨ておむつであり、表面シート２、裏面シート３、及びこれら両シート２，３間に介在された吸収体４を備えた吸収性本体５を有している。また、おむつ１は、吸収性本体５に固定されている外装体１０を具備している。また、おむつ１は、着用時に、着用者の腹側に配される腹側部Ａ、股間部に配される股下部Ｃ及び背側に配される背側部Ｂを有しており、腹側部Ａにおける幅方向Ｙの両端部と背側部Ｂにおける幅方向Ｙの両端部とが接合されて一対のサイドシール部Ｓ，Ｓが形成されている。また、この接合によって、ウエスト開口部７及び一対のレッグ開口部８，８が形成されている。
【００１１】
本実施形態のおむつ１における外装体１０は、腹側部Ａを形成する腹側シート部材１０Ａと、背側部Ｂを形成する背側シート部材１０Ｂとを有しており、一対のサイドシール部Ｓ，Ｓにおいては、腹側シート部材１０Ａと背側シート部材１０Ｂとが接合されている。吸収性本体５は、図２に示すように、腹側シート部材１０Ａの幅方向Ｙの中央部と背側シート部材１０Ｂの幅方向Ｙの中央部とに架け渡されて固定されている。吸収性本体５は、腹側シート部材１０Ａ及び背側シート部材１０Ｂのそれぞれと重なる部分が、接着剤等の公知の接合手段により、全面的又は部分的に、両シート部材１０Ａ，１０Ｂと接合されている。
外装体１０は、腹側又は背側シート部材における幅方向Ｙの両端に、腹側シート部材１０Ａと背側シート部材１０Ｂとの間が接合されていない細幅の領域、例えば１０ｍｍ以下の領域を有していても良く、その場合も、腹側部Ａと背側部Ｂとが幅方向Ｙの両端部において接合されている場合に含まれる。
【００１２】
本実施形態のおむつ１は、図２に示すように、該おむつ１の長手方向Ｘに延びる長手方向中心線ＣＬに対して左右対称に形成されている。したがって以下の説明では、左右対称な部分については、主として図２中の右側について説明するが、左側も、右側と左右対称である点を除いて同様の構成を有している。
なお、おむつ１の長手方向Ｘは、腹側部Ａから股下部Ｃを介して背側部Ｂに延びる方向に対応している。より具体的には、着用者の腹側に配される部分から股間に配される部分を経て背側に配される部分に至る方向であり、通常、吸収性本体５の長手方向及び後述する吸収性コア４０の長手方向と一致している。他方、幅方向Ｙは、図２に示すように、おむつ等の吸収性物品を展開して各弾性部材を引き伸ばした状態において、長手方向Ｘと直交する方向であり、また、図１に示すように、腹側部Ａと背側部Ｂとが連結されて形成された筒状の胴回り部Ｄにおいては、その周方向と一致する。また、長手方向Ｘは、腹側部Ａ及び背側部Ｂにおいて着用時の上下方向であるため、腹側部Ａ及び背側部Ｂそれぞれにおいて、ウエスト開口部７側を上方、股下部Ｃ側を下方ともいう。
【００１３】
本明細書において、「肌対向面」とは、吸収性本体５を構成する後述する表面シート２などの各部材の表裏両面のうち、着用時に着用者の肌側に配される面であり、「非肌対向面」とは、吸収性本体５を構成する後述する表面シート２などの各部材の表裏両面のうち、着用時に着用者の肌側とは反対側に向けられる面である。
【００１４】
本実施形態のおむつ１は、図２に示すように、外装体１０を構成する腹側シート部材１０Ａ及び背側シート部材１０Ｂが、それぞれ、おむつの外面をなす外層シート２２と、外層シート２２の内面側に配された内層シート２３と、両シート２２，２３間に伸張状態で配された複数本の糸状の弾性部材７１，９１とを備えており、それぞれ、ウエスト伸縮部Ｇ１及び胴回り下部伸縮部Ｇ２を有している。図２おいて、符号７１はウエスト伸縮部Ｇ１に配された弾性部材７１であり、符号９１は胴回り下部伸縮部Ｇ２に配された弾性部材７１である。以下、ウエスト伸縮部Ｇ１及び胴回り下部伸縮部Ｇ２を纏めて、伸縮部Ｇともいう。本実施形態のおむつ１の外装体１０において、おむつの外面をなすシート２２が外層シートであり、外層シートよりも着用者の肌に近い側に配されるシートが内層シート２３である。
【００１５】
ウエスト伸縮部Ｇ１は、おむつ１の長手方向Ｘにおいて、吸収性本体５の長手方向の両端５ａ，５ｂそれぞれの外方に形成されている。ウエスト伸縮部Ｇ１は、ウエスト開口部７の周縁部に形成されており、着用時に着用者のウエスト部に配される。胴回り下部伸縮部Ｇ２は、腹側シート部材１０Ａ及び背側シート部材１０Ｂのそれぞれにおいて、ウエスト伸縮部Ｇ１より下方であってサイドシール部Ｓの下端より上方に形成されている。
本実施形態のウエスト伸縮部Ｇ１及び胴回り下部伸縮部Ｇ２においては、外層シート２２と内層シート２３との間が、長手方向Ｘ及び幅方向Ｙに間隔をあけて形成された複数の接合部（不図示）で接合されている。本実施形態における複数の接合部は、外層シート２２と内層シート２３とを部分的に融着することにより形成されている。
【００１６】
本実施形態の伸縮部Ｇにおいては、複数本の弾性部材７１，９１はそれぞれ、複数の接合部どうし間の隙間を通って、幅方向Ｙに延びるように配されている。弾性部材７１，９１は、接合部どうし間を通り、該接合部に固定されない状態で配されている。
【００１７】
本実施形態のおむつ１においては、図２に示すように、腹側シート部材１０Ａ及び背側シート部材１０Ｂは、何れも、長手方向中心線ＣＬの両側それぞれに、外層シート２２と内層シート２３との間が接着剤を介して接合された一対の外側固定領域２７を有しており、また、吸収性本体５の側縁５ｃの位置の近傍に、外層シート２２と内層シート２３との間が接着剤を介して接合された本体側固定領域２８を有している。一対の外側固定領域２７は、腹側シート部材１０Ａ（腹側部Ａ）及び背側シート部材１０Ｂ（背側部Ｂ）のそれぞれに幅方向Ｙにおいて、本体側固定領域２８から外側（サイドシール部側）に離間した部位に形成されており、より具体的には、幅方向Ｙの端部又はその近傍に形成されている。外側固定領域２７は、サイドシール部Ｓと全体又は一部が重なることが好ましい。
【００１８】
ウエスト伸縮部Ｇ１には、複数本の弾性部材７１が、一対の外側固定領域２７間に亘って配されており、それらの弾性部材７１は、一対の外側固定領域２７のそれぞれにおいてシート２２，２３間に固定されている一方、外側固定領域２７間においては、シート２２，２３の何れにも固定されていない。
他方、胴回り下部伸縮部Ｇ２には、複数本の弾性部材２４が、外側固定領域２７と本体側固定領域２８との間に亘って配されており、それらの弾性部材２４は、外側固定領域２７と本体側固定領域２８のそれぞれにおいてシート２２，２３間に固定されている一方、外側固定領域２７と本体側固定領域２８との間においては、シート２２，２３の何れにも固定されていない。また、胴回り下部伸縮部Ｇ２には、一対の本体側固定領域２８間に、弾性部材９１が配されていないか、弾性部材９１が、切断等の弾性伸縮性を発現しないようにする処理を施された状態で配されている。
【００１９】
本体側固定領域２８は、図２に示すように、その全体が吸収性本体５と重なるように形成されていても良いが、吸収性本体５の側縁５ｃの内外に亘るように形成されていても良い。また、本体側固定領域２８は、吸収性本体５の側縁５ｃよりおむつ横方向の外方に形成されていても良い。なお、本体側固定領域２８の全体が吸収性本体５と重なっている態様には、本体側固定領域２８のおむつ横方向外側の端部の位置と吸収性本体５の側縁５ｃの位置とが一致する態様と、本体側固定領域２８が、吸収性本体５の側縁５ｃとの間に所定の間隔を設けて形成されている態様との両者が含まれる。
【００２０】
伸縮部Ｇは、弾性部材７１，９１が幅方向Ｙに伸張状態で配されていることにより、幅方向Ｙに伸縮する。これにより伸縮部Ｇは、外層シート２２、又は外層シート２２及び内層シート２３の両シート２２，２３が、おむつ１の厚み方向に膨らむように変形して、内部に中空部を有する襞が複数形成される（不図示）。襞は、幅方向Ｙに隣り合う接合部どうし間に形成される。
【００２１】
表面シート２は、吸収体４の肌対向面の全域を被覆するとともに、吸収体４の非肌対向面側に巻き下げられて、吸収体４の非肌対向面の一部を被覆している。吸収体４の非肌対向面側に配された表面シート２の一部を、下側表面シート２ａともいう。下側表面シート２ａは、吸収体４の非肌対向面側で、防漏カフ形成用シート６０及び裏面シート３と重なっており、これら重なったシートどうしが、後述する内側接合部１３及び外側接合部１４においてヒートシール等の接着剤等の公知の接合手段により接合固定されている。
【００２２】
吸収性本体５は、長手方向Ｘに沿う両側に、肌対向面側に起立する防漏カフ６，６が形成されている。防漏カフ６は、吸収性本体５に接合された防漏カフ形成用シート６０、防漏カフ形成用シート６０の自由端近傍に伸長状態で固定された防漏カフ形成用の弾性部材６１、及び防漏カフ６の固定端と自由端との間に伸長状態で固定された防漏カフ中間弾性部材６２を備えている。図３に示す例では、防漏カフ形成用シート６０として、所定幅の帯状の撥水性シートの１枚を、その長手方向に沿って二つ折りして、相対向する層間をホットメルト型接着剤又は部分的な熱シール若しくは超音波シール等で接合した２層構造のシートを用いており、前述した弾性部材６１，６２は、この２層構造シートの層間に伸長状態で固定されている。防漏カフ形成用シート６０は、吸収体４の非肌対向面側に巻き下げられた２層構造の下側カフシート６０ａを有し、該下側カフシート６０ａは、おむつ１の厚み方向Ｚにおいて、吸収体４の非肌対向面側の表面シート２と裏面シート３との間に配されている。２層構造の下側カフシート６０ａは、その層間が接着剤１７によって接合されている。
また、手触りを向上させる観点から、股下部Ｃにおける吸収性本体５の肌対向面側、即ち、裏面シート３の肌対向面側には、該肌対向面を被覆するシート２５が配されている。
【００２３】
おむつ１において、吸収体４は、吸収性コア４０と、該吸収性コア４０の肌対向面及び非肌対向面を被覆するコアラップシート４５とを含む。本実施形態のコアラップシートは、吸収性コア４０の肌対向面の全域を被覆する上側コアラップシート４５ａと、吸収性コア４０の非肌対向面の全域を被覆する下側コアラップシート４５ｂとを有している。上側コアラップシート４５ａは、該吸収性コア４０の非肌対向面側に巻き下げられ、その巻き下げられた部分が、下側コアラップシート４５ｂの幅方向Ｙの外方側の一部と重なっている。吸収体４は、コアラップシート４５を含んでいなくとも良い。
【００２４】
図４は、吸収性コア４０における中央折曲誘導部４３、側部折曲誘導部４４、一対の内側接合部１３，１３及び一対の外側接合部１４，１４の配置関係を示す平面図である。吸収性コア４０は、パルプ繊維等の繊維材料からなる繊維集合体又はこれに吸水性ポリマーの粒子等の機能性材料を保持させてなるものからなる。吸収性コア４０は、図４に示すように、股下部Ｃに、中央折曲誘導部４３と、該中央折曲誘導部４３の両側それぞれに位置する一対の側部折曲誘導部４４，４４とを有している。中央折曲誘導部４３及び一対の側部折曲誘導部４４，４４はそれぞれ、低積繊部からなる。本明細書において「低積繊部」は、吸収性コア４０を形成する材料（コア形成材料）の坪量が５０ｇ／ｍ2以下である部分を意味し、コア形成材料が存在しない部分である非積繊部も含む。中央折曲誘導部４３及び側部折曲誘導部４４の何れか一方が非積繊部であっても良く、双方が非積繊部であっても良い。また、一対の側部折曲誘導部４４のうち何れか一方が非積繊部であっても良く、双方が非積繊部であっても良い。
非積繊部は、吸収性コア４０を貫通する縦長矩形状の貫通孔であっても良く、スリットであっても良い。スリットとは、比較的に幅が狭い形状の貫通孔である。
【００２５】
中央折曲誘導部４３及び一対の側部折曲誘導部４４はそれぞれ、図４に示すとおり、長手方向Ｘに延びており、平面視形状が縦長矩形状である。中央折曲誘導部４３は、吸収性コアの幅方向中央部に一対の側部折曲誘導部４４間であって、該側部折曲誘導部４４と間隔を空けて配されている。
【００２６】
裏面シート３は、中央折曲誘導部４３と一対の側部折曲誘導部４４，４４それぞれとの間に位置する一対の内側接合部１３，１３、及び一対の側部折曲誘導部４４，４４それぞれより幅方向Ｙの外方に位置する一対の外側接合部１４，１４において、後述する被覆シートと接合されている。一対の内側接合部１３，１３及び一対の外側接合部１４，１４はそれぞれ、吸収性コア４０と重なっている。一対の内側接合部１３，１３は、中央折曲誘導部４３とも側部折曲誘導部４４とも重なっていない。また、一対の外側接合部１４，１４は、側部折曲誘導部４４と重なっていない。
幅方向Ｙにおいて、中央折曲誘導部４３は一対の内側接合部１３，１３間に位置し、該一対の内側接合部１３，１３は一対の側部折曲誘導部４４，４４間に位置している（図４参照）。幅方向Ｙにおいて、一対の側部折曲誘導部４４，４４は、一対の外側接合部１４，１４間に位置している。即ち、吸収性本体５において、中央折曲誘導部４３、一対の内側接合部１３，１３、一対の側部折曲誘導部４４，４４、及び一対の外側接合部１４，１４が、この順で幅方向Ｙの中央から外方に向かって配されている。内側接合部１３及び外側接合部１４はそれぞれ、長手方向Ｘに延びており、平面視形状が縦長矩形状である（図４参照）。
【００２７】
裏面シート３は、一対の内側接合部１３及び一対の外側接合部１４において、被覆シートと接合されている。被覆シートは、吸収性コア４０の非肌対向面を被覆するシートであり、本実施形態においてはコアラップシート４５である。吸収体４がコアラップシートを含まない場合、被覆シートは、吸収性コア４０の非肌対向面の全域又は一部を被覆する他のシートであり、例えば、吸収性コア４０の非肌対向面側に巻き下げられた、下側表面シート２ａや下側カフシート６０ａが挙げられる。本明細書において、裏面シート３と被覆シートとが接合されている態様としては、裏面シート３と被覆シートとが直接接合されている態様と、裏面シート３と被覆シートとの間に他のシートが介在し、裏面シート３と被覆シートとが間接的に接合されている態様とが挙げられる。後者の態様は、裏面シート３と接合している部分の厚み方向Ｚにおいて、裏面シート３と被覆シートとの間に介在する他のシートが被覆シートと一体化している。ここで、裏面シート３と被覆シートとの間に介在する他のシートを介在シートともいう。また、「被覆シートと一体化している」とは、裏面シート３と介在シートとが接合した部分の厚み方向Ｚにおいて、被覆シートと、介在シートとが接合によって一体化していることを意味する。例えば、裏面シート３とコアラップシート４５との間に下側表面シート２ａが介在し、裏面シート３と下側表面シート２ａとが接合した部分の厚み方向Ｚにおいて、コアラップシート４５と下側表面シート２ａとが直接接合している態様が挙げられる。また、裏面シート３とコアラップシート４５との間に下側表面シート２ａ及び下側カフシート６０ａが介在し、裏面シート３と下側カフシート６０ａとが接合した部分の厚み方向Ｚにおいて、コアラップシート４５と下側表面シート２ａとが直接接合し、さらに下側表面シート２ａと下側カフシート６０ａとが直接接合している態様が挙げられる。被覆シートと一体化する介在シートは、１枚でも良く、２枚以上の複数枚でも良い。
【００２８】
本実施形態の一対の内側接合部１３，１３と厚み方向Ｚにおいて重なる部分は、コアラップシート４５と裏面シート３との間に、介在シートが存在しない。即ち、裏面シート３は、一対の内側接合部１３，１３において、前記被覆シートであるコアラップシート４５と接合されている。
一方、本実施形態の一対の外側接合部１４，１４と厚み方向Ｚにおいて重なる部分は、コアラップシート４５と裏面シート３との間に、介在シートが存在している。この場合の介在シートは、吸収体４の非肌対向面側に巻き下げられた、下側表面シート２ａ及び下側カフシート６０ａであり、厚み方向Ｚにおいて４枚のシート４５，２ａ，６０ａ，３間が接着剤１７の接合により一体化されている（図３参照）。即ち、裏面シート３は、一対の外側接合部１４，１４において、被覆シートと介在シートと一体化している。
【００２９】
吸収性コア４０は、股下部Ｃに中央折曲誘導部４３及び一対の側部折曲誘導部４４，４４を有することにより、着用時に、股下部Ｃにおける吸収性コア４０の幅方向Ｙに沿う断面形状が、中央折曲誘導部４３が山部、一対の側部折曲誘導部４４，４４が谷部となるように、Ｗ字状に屈曲する〔図５（ａ）参照〕。このＷ字状に屈曲することにより、吸収性コア４０が、着用者の脚Ｅより加えられる圧力に対して柔軟に変形する上、側部折曲誘導部４４より幅方向Ｙ外方の部分が起立してその端部が着用者の肌、好ましくは鼠蹊部に沿って位置すると共に、中央折曲誘導部４３を有する部分が、着用者の排尿部に密着しやすくなるため、良好なフィット性が奏される。また、側部折曲誘導部４４より幅方向Ｙ外方の部分によって、横漏れが効果的に防止できる。さらに、山部となるよう屈曲した中央折曲誘導部４３を有する部分から、尿が吸収性コア４０内にスムーズに吸収される。
【００３０】
また、裏面シート３が、一対の内側接合部１３，１３において、吸収性コア４０の非肌対向面を被覆している被覆シートと接合されていることにより、山部となるように屈曲した中央折曲誘導部４３の部分やその周辺部において裏面シート３と吸収体４とが密着する〔図５（ａ）参照〕。さらに、裏面シート３が、一対の外側接合部１４，１４において、被覆シートと接合されていることにより、側部折曲誘導部４４より幅方向Ｙ外方の起立した部分において裏面シート３と吸収体４とが密着する〔図５（ａ）参照〕。このように、吸収性コア４０がＷ字状に屈曲しても裏面シート３が吸収体４に密着することにより、着用時のおむつ１は、視覚的に着用者の股間部にフィットした印象を与えることができる。
一方、裏面シート３と吸収体４とが密着していないと、裏面シート３と吸収体４との間に隙間が生じることで、おむつ１が嵩張り、視覚的に着用者の身体へのフィット性が損なわれることがある〔図５（ｂ）参照〕。特に、着用者が動くと、裏面シート３と吸収体４との間の隙間は大きくなるため、外観上のフィット性が損なわれ易い。
【００３１】
また、裏面シート３と吸収体４とを密着させても、吸収性コア４０の屈曲により、裏面シート３に皺が生じて外観上のフィット性を損なうことがあるが、一対の内側接合部１３，１３は、中央折曲誘導部４３と一対の側部折曲誘導部４４それぞれとの間に位置し、一対の外側接合部１４，１４それぞれは、側部折曲誘導部４４よりも幅方向外方に位置することにより、中央折曲誘導部４３及び一対の側部折曲誘導部４４，４４の折り曲げによる皺の発生を抑制することができる〔図５（ａ）参照〕。
【００３２】
また、裏面シート３と吸収体４とを密着させるため、裏面シート３の全域と被覆シートの全域とを接合すると、おむつ１内に湿気がこもり易くなり、おむつ１内の通気性が低下するが、本発明に係る裏面シート３と被覆シートは、長手方向Ｘに延びる、一対の内側接合部１３，１３及び一対の外側接合部１４，１４を介して接合しているため、湿気を長手方向Ｘに沿っておむつ１の外に逃がし易く、良好な通気性を確保することができる。
【００３３】
図６（ａ）〜（ｃ）、本発明に係る内側接合部及び外側接合部の配置パターンを示す平面図である。
中央折曲誘導部４３及び片方の側部折曲誘導部４４間に位置する内側接合部１３は、図４及び図６（ａ）に示すように１本でも良く、図６（ｂ）及び（ｃ）に示すように、２本以上の複数本であっても良い。
片方の側部折曲誘導部より幅方向の外方に位置する外側接合部１４は、図６（ａ）及び（ｂ）に示すように１本でも良く、図６（ｃ）に示すように、２本以上の複数本であっても良い。また、中央折曲誘導部４３及び片方の側部折曲誘導部４４間に位置する内側接合部１３と、片方の側部折曲誘導部より幅方向の外方に位置する外側接合部１４とがそれぞれ複数本存在しても良い。
【００３４】
内側接合部１３の長手方向Ｘの長さＬ５は、図４に示すように、吸収性コア４０の長手方向Ｘの全長Ｌよりも短くても良い。また、内側接合部１３は、図６（ｃ）に示すように該全長Ｌに亘っていても良い。
中央折曲誘導部４３及び一対の側部折曲誘導部４４，４４の長手方向Ｘの外方部分における、裏面シート３と吸収体４との密着性を向上させ、外観上のフィット性を向上させる観点から、内側接合部１３は、中央折曲誘導部４３及び側部折曲誘導部４４それぞれに比して、長手方向Ｘの長さが長いことが好ましい。中央折曲誘導部４３及び片方の側部折曲誘導部４４間に位置する内側接合部１３が複数本ある場合、複数本あるうちの少なくとも１本が、中央折曲誘導部４３及び側部折曲誘導部４４それぞれに比して、長手方向Ｘの長さが長いことが好ましい。同様の観点から、内側接合部１３の長手方向Ｘの両端部１３ａ，１３ａは、中央折曲誘導部４３の長手方向Ｘの端部４３ａ，４３ａ、及び側部折曲誘導部４４の長手方向Ｘの端部４４ａ，４４ａに比して、長手方向Ｘの外方に位置していることが好ましい。
内側接合部１３の長手方向Ｘの長さＬ５は、吸収性コア４０の長手方向の全長Ｌ（図４参照）に対して、好ましくは３０％以上、より好ましくは４０％以上であり、また好ましくは１００％以下、より好ましくは９５％以下であり、また好ましくは３０％以上１００％以下、より好ましくは４０％以上９５％以下である。
内側接合部１３の長手方向Ｘの長さＬ５は、中央折曲誘導部４３の長手方向Ｘの長さＬ１に対して、好ましくは１１０％以上、より好ましくは１５０％以上であり、また好ましくは２２０％以下、より好ましくは２００％以下であり、また好ましくは１１０％以上２２０％以下、より好ましくは１５０％以上２００％以下である。
内側接合部１３の長手方向Ｘの長さＬ５は、側部折曲誘導部４４の長手方向Ｘの長さＬ３に対して、好ましくは１１０％以上、より好ましくは１５０％以上であり、また好ましくは２２０％以下、より好ましくは２００％以下であり、また好ましくは１１０％以上２２０％以下、より好ましくは１５０％以上２００％以下である。
内側接合部１３の長手方向Ｘの長さＬ５は、好ましくは１３０ｍｍ以上、より好ましくは１５０ｍｍ以上であり、また好ましくは４５０ｍｍ以下、より好ましくは４５０ｍｍ以下であり、また好ましくは１３０ｍｍ以上４５０ｍｍ以下、より好ましくは１５０ｍｍ以上４５０ｍｍ以下である。
なお、特に言及しない限り、本明細書に記載の距離や寸法は、吸収性物品を平面状に拡げた状態において測定する。
【００３５】
中央折曲誘導部４３とその周辺部における裏面シート３と吸収体４との密着性を向上させる観点から、内側接合部１３は、幅方向Ｙにおいて中央折曲誘導部４３と側部折曲誘導部４４との間隔を２等分する間隔中央線４６より、該中央折曲誘導部４３側に位置していることが好ましい。間隔中央線４６は、幅方向Ｙにおける中央折曲誘導部４３と側部折曲誘導部４４との間の中点を通り、且つ長手方向Ｘに延びる線である。「間隔中央線４６より、該中央折曲誘導部４３側に配されている」とは、内側接合部１３の一部が間隔中央線４６よりも中央折曲誘導部４３側に位置していれば良い。例えば、内側接合部１３の全体が、間隔中央線４６よりも中央折曲誘導部４３側に偏在していても良く〔図６（ａ）参照〕、内側接合部１３の一部が、間隔中央線４６を越えて中央折曲誘導部４３側に配されていても良い〔図４参照〕。また、中央折曲誘導部４３と側部折曲誘導部４４との間に配される内側接合部１３が複数あり、そのうちの１本が間隔中央線４６よりも中央折曲誘導部４３側に位置していても良い〔図６（ｂ）参照〕。
幅方向Ｙにおいて間隔中央線４６より中央折曲誘導部４３側に位置する内側接合部１３について、該間隔中央線４６から中央折曲誘導部４３側の側縁１３ｂまでを内寄り内側接合部１３ｃともいう。幅方向Ｙにおける内寄り内側接合部１３ｃの長さＷ１３は、同方向Ｙにおける間隔中央線４６と中央折曲誘導部４３との間の距離Ｄ１（図４参照）に対して好ましくは１５％以上、より好ましくは２０％以上であり、また好ましくは１００％以下、より好ましくは９０％以下であり、また好ましくは１５％以上１００％以下、より好ましくは２０％以上９０％以下である。内側接合部１３の全体が、間隔中央線４６よりも中央折曲誘導部４３側に偏在している場合、内寄り内側接合部１３ｃの長さＷ１３は、同方向Ｙにおける該内側接合部１３の長さＷ３を意味する〔図６（ａ）参照〕。
【００３６】
腹側部Ａ又は背側部Ｂにおいて、吸収体４の幅方向Ｙの中央部は、おむつ１の非肌対向面に印刷される絵柄や文字等の表記と重なることが多い。吸収性コア４０の屈曲による、表記への皺の発生を抑制すると共に、裏面シート３と吸収体４との密着性を向上させる観点から、外側接合部１４は、内側接合部１３に比して、幅方向Ｙの長さが長いことが好ましい。同様の観点から、外側接合部１４の幅方向Ｙの長さＷ７（図４参照）は、内側接合部１３の幅方向Ｙの長さＷ５（図４参照）に対して好ましくは１００％以上、より好ましくは１２０％以上であり、また好ましくは５００％以下、より好ましくは４００％以下であり、また好ましくは１００％以上５００％以下、より好ましくは１２０％以上４００％以下である。
また、外側接合部１４の幅方向Ｙの長さＷ７（図４参照）は、吸収性コア４０の幅方向Ｙの長さＷ（図４参照）に対して好ましくは５％以上、より好ましくは７％以上であり、また好ましくは２５％以下、より好ましくは２０％以下であり、また好ましくは５％以上２５％以下、より好ましくは７％以上２０％以下である。
外側接合部１４の幅方向Ｙの長さＷ７（図４参照）は、好ましくは１２ｍｍ以上、より好ましくは１２ｍｍ以上であり、また好ましくは２５ｍｍ以下、より好ましくは２３ｍｍ以下であり、また好ましくは１２ｍｍ以上２５ｍｍ以下、より好ましくは１２ｍｍ以上２３ｍｍ以下である。
内側接合部１３の幅方向Ｙの長さＷ５（図４参照）は、好ましくは２ｍｍ以上、より好ましくは３ｍｍ以上であり、また好ましくは１０ｍｍ以下、より好ましくは１０ｍｍ以下であり、また好ましくは２ｍｍ以上１０ｍｍ以下、より好ましくは３ｍｍ以上１０ｍｍ以下である。
【００３７】
前述の表記への皺の発生をより抑制する観点から、おむつ１は、非肌対向面に腹側部Ａ及び背側部Ｂの何れかを示す表記を有し、内側接合部１３が、該表記と重ならない位置に配されていることが好ましい。例えば、図７に示すように、おむつ１が絵柄Ｐを腹側部Ａ側に有している場合、一対の内側接合部１３，１３は、該絵柄Ｐと重ならないよう、背側部Ｂ側に偏在していることが好ましい。図７に示す態様では、中央折曲誘導部４３及び一対の側部折曲誘導部４４，４４も絵柄Ｐと重なっていない。
【００３８】
外側接合部１４の長手方向Ｘの長さは、吸収性コア４０の長手方向Ｘの全長Ｌよりも短くても良い。製品としての外観上（側部を固定していることでシワ等が発生しにくいので）の観点から、外側接合部１４は、図４に示すように該全長Ｌに亘っていることが好ましい。
【００３９】
裏面シート３と吸収体４との密着性、及びおむつ１の通気性を両立させる観点から、裏面シート３と被覆シートとの接合面積の合計が、吸収性コア４０の面積に対して好ましくは１０％以上、より好ましくは２０％以上であり、また好ましくは６０％以下、より好ましくは５０％以下であり、また好ましくは１０％以上６０％以下、より好ましくは２０％以上５０％以下である。裏面シート３と被覆シートとの接合面積の合計は、一対の内側接合部１３，１３及び一対の外側接合部１４，１４の合計面積である。
一対の内側接合部１３，１３及び一対の側部折曲誘導部４４，４４はそれぞれ、ホットメルト接着剤等の公知の接着剤を裏面シート３に塗布することにより形成することができる。また、接着剤は、スパイラル、ストライプ、ドット（散点状）、ウェーブ（波線状）等のパターンで塗工することができる。スパイラルパターン等の、接着剤塗布部で囲まれた接着剤非塗布部を有する塗工の場合は、該接着剤非塗布部も接合面積に含むこととする。
【００４０】
おむつ１は、図４に示すように、水分と接触して変色するインジケーター１８を備えていても良い。ここでいう「変色」は、ある色から他の色に変化する態様の他、無色状態から有色状態となるいわゆる「発色」、発色状態から無色状態となるいわゆる「消色」を含む。インジケーター１８の変色は、おむつ１の交換時期の目安とすることができ、インジケーター１８の変色後速やかにおむつ１を新品と交換することで、ムレや濡れに起因する着用者の肌トラブルを回避することが可能となる。インジケーター１８としては、尿、汗等の水分を含む、身体からの排泄物と接触することにより変色する色材を含むものを用いることができ、従来この種の吸収性物品においてインジケーターとして使用されているものを適宜用いることができる。このインジケーター１８を構成する色材としては、例えば、ｐＨ指示薬と酸化化合物との混合物等を用いることができる。
【００４１】
インジケーター１８は、色材等を含むインジケーター組成物を、該インジケーター１８の配置予定部位に塗布することによって形成されている。このインジケーター組成物としては、例えば、色材等の、インジケーター機能の発現に必要な材料を、公知のホットメルト接着剤に配合したものを用いることができる。
【００４２】
尿とインジケーター１８とをより確実に接触させる観点から、裏面シート３と被覆シートとの間に、長手方向Ｘに延びるインジケーター１８が、一対の内側接合部１３間に配されていることが好ましい。また、前記インジケーター１８が、一対の内側接合部１３間に加え、内側接合部１３と外側接合部１４との間にも配されていることがより好ましい。一対の内側接合部１３間に配されるインジケーター１８の全体又は一部が、中央折曲誘導部４３と重なっていても良く、重なっていなくとも良い。また、内側接合部１３と外側接合部１４との間に配されるインジケーター１８の全体又は一部が、側部折曲誘導部４４，４４と重なっていても良く、重なっていなくとも良い。
インジケーター１８の長手方向Ｘの長さＬ９（図４参照）は、中央折曲誘導部４３の長手方向Ｘの長さＬ１に対して、好ましくは６０％以上、より好ましくは８０％以上であり、また好ましくは１６０％以下、より好ましくは１４０％以下であり、また好ましくは６０％以上１６０％以下、より好ましくは８０％以上１４０％以下である。
インジケーター１８の幅方向Ｙの長さＷ９（図４参照）は、中央折曲誘導部４３の幅方向Ｙの長さＷ１に対して、好ましくは３０％以上、より好ましくは４０％以上であり、また好ましくは１００％以下、より好ましくは８０％以下であり、また好ましくは３０％以上１００％以下、より好ましくは４０％以上８０％以下である。
【００４３】
本実施形態においては、裏面シート３と被覆シートとの間に、長手方向Ｘに延びるインジケーター１８を複数本有していたが、１本のみ有していても良い。また、本実施形態においては、インジケーター１８が長手方向Ｘに連続して延びていたが、長手方向Ｘに間欠的に延びていても良い。
【００４４】
吸収性コア４０を容易に屈曲させる観点から、側部折曲誘導部４４の外側縁と吸収性コア４０の側縁との間の幅Ｗ１２（図３参照）は、吸収性コア４０の幅Ｗ（図３参照）の好ましくは１０％以上、より好ましくは１５％以上であり、また好ましくは２５％以下、より好ましくは２３％以下であり、また好ましくは１０％以上２５％以下、より好ましくは１５％以上２３％以下である。また、側部折曲誘導部４４の内側縁と中央折曲誘導部４３の外側縁との間の幅Ｗ１５（図３参照）は、吸収性コア４０の幅Ｗの好ましくは１０％以上、より好ましくは１５％以上であり、また好ましくは２５％以下、より好ましくは２３％以下であり、また好ましくは１０％以上２５％以下、より好ましくは１５％以上２３％以下である。また、中央折曲誘導部４３の幅方向Ｙの長さＷ１（図３参照）は、側部折曲誘導部４４の内側縁と中央折曲誘導部４３の外側縁との間の幅Ｗ１５の好ましくは２０％以上であり、また好ましくは６０％以下、より好ましくは５０％以下であり、また好ましくは２０％以上６０％以下、より好ましくは３０％以上５０％以下である。中央折曲誘導部４３の幅方向Ｙの長さＷ１は、好ましくは１ｍｍ以上２０ｍｍ以下、より好ましくは２ｍｍ以上１０ｍｍ以下である。中央折曲誘導部４３の幅方向Ｙの長さＷ１が２ｍｍ未満の場合はスリットと把握することもできる。これらの各部の幅や相互間の関係は、それぞれ、少なくとも股下部Ｃにおいて満たしていることが好ましく、股下部Ｃの長手方向中央部を中心として、吸収性コアの長手方向の５ｃｍ以上の範囲に亘って満たしていることがより好ましい。
【００４５】
本実施形態のおむつ１における吸収性コア４０は、図４に示すように、股下部Ｃにおける吸収性コア４０に、中央折曲誘導部４３と一対の側部折曲誘導部４４，４４とが長手方向Ｘに並列している領域Ｒ１（以下、並列領域Ｒ１ともいう）を有している。長手方向Ｘにおける並列領域Ｒ１の長さＬ１（図４参照）は、股下部Ｃの長手方向の長さＬｃ（図４参照）に対して、好ましくは２０％以上８０％以下、より好ましくは２０％以上６０％以下、さらに好ましくは２０％以上５０％以下である。
【００４６】
長手方向Ｘの腹側部Ａ側においては、中央折曲誘導部４３の端部４３ａの位置と、側部折曲誘導部４４それぞれの端部４４ａ，４４ａの位置とが略一致している。長手方向Ｘの背側部Ｂ側においても、中央折曲誘導部４３の端部４３ｂの位置と、側部折曲誘導部４４それぞれの端部４４ｂ，４４ｂの位置とが略一致している。長手方向Ｘの腹側部Ａ側において、中央折曲誘導部４３及び側部折曲誘導部４４の何れか一方の端部は、他方の端部よりも腹側部Ａ側に延出していても良いが、特許文献１に記載のように、中央折曲誘導部４３の端部４３ａが、側部折曲誘導部４４の端部４４ｂよりも腹側部Ａ側に延出していることが好ましい。また、長手方向Ｘの背側部Ｂ側において、中央折曲誘導部４３及び側部折曲誘導部４４の何れか一方の端部は、他方の端部よりも背側部Ｂ側に延出していても良いが、特許文献１に記載のように、側部折曲誘導部４４の端部４４ｂが、中央折曲誘導部４３の端部４３ｂよりも背側部Ｂ側に延出していることが好ましい。
【００４７】
並列領域Ｒ１においては、図５（ａ）に示すように吸収性コア４０の断面をＷ字状に変形させる観点から、例えば、弾性部材９及び弾性部材６１，６２のように、吸収性本体５の両側部や、一部が吸収性本体５の両側部と重なるように設けられた防漏カフ６等に、吸収性コア４０の側部部分を引き上げるか又は押し上げ得るような作用を有する弾性部材を配置することが好ましい。
但し、吸収性コア４０の長手方向に沿う弾性部材がなくても、おむつを装着する際におむつの腹側部Ａの幅方向中央部を掴んで引き上げる力や、着用時に股下部Ｃの両側に加わる、着用者の大腿からの力により、吸収性コア４０は、図５（ａ）に示すような形態に変形し得る。そのため、吸収性コア４０の長手方向に沿う弾性部材が存在することは必須ではない。
【００４８】
おむつ１の形成材料について説明する。
おむつ１の各部の形成材料としては、従来の使い捨ておむつの当該部分に用いられる各種のものを特に制限なく用いることができる。例えば、表面シート２としては、親水性且つ液透過性の不織布、樹脂フィルムに開孔を形成したもの等を用いることができ、裏面シート３としては、透湿性又は非透湿性の樹脂フィルムや該樹脂フィルムと不織布の積層体等を用いることができる。
吸収性コア４０を構成する繊維集合体を構成する繊維としては、例えば、パルプ繊維、レーヨン繊維、コットン繊維、酢酸セルロース等の親水性繊維、ポリエチレン、ポリプロピレン等のポリオレフィン系繊維、ポリエステル、ポリアミド等の縮合系繊維等を用いることできる。繊維集合体は、空気流に載せて供給した繊維材料を、所定形状の凹部内に吸引して堆積させる積繊工程を経て得られるものが好ましい。繊維材料とともに機能性材料を混合積繊したものであっても良い。機能性材料の保持形態は、２枚の繊維集合体間に挟んで保持する形態や、混合積繊して繊維間に保持させた状態等が挙げられる。繊維及び吸水性ポリマー等の機能性材料は、それぞれ、一種又は二種以上を組み合わせて用いることができる。吸水性ポリマーとしては、例えば、ポリアクリル酸ナトリウム、（アクリル酸−ビニルアルコール）共重合体、ポリアクリル酸ナトリウム架橋体、（でんぷん−アクリル酸）グラフト共重合体、（イソブチレン−無水マレイン酸）共重合体及びそのケン化物、ポリアスパラギン酸等からなる粒子等が挙げられる。
【００４９】
防漏カフ形成用シート６０としては、スパンボンド・メルトブローン・スパンボンド等からなる多層構造の複合不織布、スパンボンド不織布、ヒートボンド不織布、エアスルー不織布等を用いることができる。各部に配される弾性部材の形態は、糸状のもの（糸ゴム等）、所定幅の帯状のもの（平ゴム等）等が好ましく、特に糸状のものが好ましい。各部に配される弾性部材の素材としては、天然ゴム、スチレン−ブタジエン、ブタジエン、イソプレン、ネオプレン等の合成ゴム、ＥＶＡ、伸縮性ポリオレフィン、ウレタン等を挙げることができる。
コアラップシートとしては、各種公知のものを用いることができ、例えばティッシュペーパのような薄紙や透水性の不織布等が好ましく用いられる。
【００５０】
次に、本発明の使い捨ておむつにおける第２実施形態を説明する。第２実施形態については、第１実施形態と異なる点を中心に説明し、特に説明しない点については第１実施形態についての説明が適宜適用される。
【００５１】
第２実施形態のおむつ１ａの吸収性コア４０ａは、股下部Ｃの幅方向中央部に形成された高坪量部４１と、該高坪量部４１より低坪量の低坪量部４２とを有している。おむつ１ａにおいて、吸収性コア４０ａは単層構造であり、該吸収性コア４０ａの一部に設けた肉厚部分が高坪量部４１となっている。
本実施形態の高坪量部４１は、おむつ１の股下部Ｃのみに形成されている。高坪量部４１は、腹側部Ａの一部に延出していてもよく、背側部Ｂの一部に延出していてもよい。ただし、高坪量部４１は、長手方向Ｘにおける吸収性コア４０ａの腹側部Ａ側の端部まで達していないことが好ましく、また長手方向Ｘにおける背側部Ｂ側の端部まで達していないことが好ましい。吸収性コア４０ａは、高坪量部４１の周囲に低坪量部４２を有している。
本実施形態における一対の内側接合部１３，１３及びインジケーター１８はそれぞれ、長手方向Ｘにおいて高坪量部４１及び低坪量部４２に亘って配されている。
【００５２】
高坪量部４１は、長手方向Ｘに沿って延びており、且つ中央折曲誘導部４３の周囲を囲んでいる。中央折曲誘導部４３は、高坪量部４１に配されており、該高坪量部４１の幅方向Ｙの中央部に位置している。高坪量部４１は、平面視略矩形状であり、一対の側部折曲誘導部４４，４４間に配されている。また、高坪量部４１は、一対の側部折曲誘導部４４，４４よりも幅方向Ｙの内方に位置している。
本実施形態の低坪量部４２は、一対の側部折曲誘導部４４，４４の長手方向Ｘの端部４４ａ，４４ｂそれぞれから、長手方向Ｘの外方に位置する一対の第１低坪量部４２ａ，４２ａ、並びに該一対の低坪量部４２ａ，４２ａ間に位置する第２低坪量部４２ｂ及び第３低坪量部４２ｃから構成される。第２低坪量部４２ｂは、側部折曲誘導部４４よりも幅方向Ｙの外方に位置している。第３低坪量部４２ｃは、側部折曲誘導部４４と高坪量部４１との間に位置している。第１低坪量部４２ａは、該第１低坪量部４２ａと長手方向Ｘに隣接する第２低坪量部４２ｂ及び第３低坪量部４２ｃそれぞれと連続している。第３低坪量部４２ｃは、図８に示すように、該第３低坪量部４２ｃと幅方向Ｙに隣接する高坪量部４１と連続している。
【００５３】
本実施形態の吸収体４は、高坪量部４１及び低坪量部４２を有する吸収性コア４０ａを、コアラップシート４５で被覆したものである。
中央折曲誘導部４３は、図８に示すように、高坪量部４１を吸収性コア４０ａの厚み方向に貫通する縦長矩形状の貫通孔を形成してなる。
一対の側部折曲誘導部４４，４４は、図８に示すように、低坪量部４２を吸収性コア４０ａの厚み方向に貫通する縦長矩形状の貫通孔を形成してなる。
【００５４】
おむつ１ａにおいて、裏面シート３と被覆シートとの間に、長手方向Ｘに延びるインジケーター１８が、一対の内側接合部１３間に配されている（図８参照）。
【００５５】
吸収性コアがＷ字状に屈曲した際、山部となる幅方向中央部の吸収性能を向上させる観点から、上述のように吸収性コアの幅方向中央部に高坪量部４１が設けられることが好ましい。一方、高坪量部４１に尿が集中して吸収される反面、おむつ１ａの交換時期が遅れると、高坪量部４１で吸収し切れなかった尿が漏れる可能性がある。また、高坪量部４１及び低坪量部４２の厚み差が生じる部分、即ち、高坪量部４１の周縁部分は、幅方向Ｙに
延びる皺が発生し易い。おむつ１ａの交換時期の遅れによる尿の漏れ、及び高坪量部４１の周縁部分における皺の発生を効果的に抑制する観点から、一対の内側接合部１３，１３及びインジケーター１８はそれぞれ、長手方向Ｘにおいて高坪量部４１及び低坪量部４２に亘って配されていることが好ましい。即ち、一対の内側接合部１３，１３の長手方向Ｘの両端部、及びインジケーター１８の長手方向Ｘの両端部はそれぞれ、高坪量部４１の長手方向Ｘの両端部よりも長手方向Ｘの外方に位置していることが好ましい。
上記の効果をより確実に奏させる観点から、内側接合部１３の長手方向Ｘの長さＬ５は、高坪量部４１の長手方向Ｘの長さＬ１１に対して好ましくは１００％以上、より好ましくは１２０％以上であり、また好ましくは２００％以下、より好ましくは１８０％以下であり、また好ましくは１００％以上２００％以下、より好ましくは１２０％以上１８０％以下である。
インジケーター１８の長手方向Ｘの長さ2（図９参照）は、高坪量部４１の長手方向Ｘの長さＬ１１（図９参照）に対して好ましくは１００％以上、より好ましくは１１０％以上であり、また好ましくは１５０％以下、より好ましくは１４０％以下であり、また好ましくは１００％以上１５０％以下、より好ましくは１１０％以上１４０％以下である。
【００５６】
股下部の吸収容量の観点から、中央折曲誘導部４３及び片方の側部折曲誘導部４４間における高坪量部４１の幅方向Ｙの長さＷ１１は、側部折曲誘導部４４の外側縁と吸収性コア４０の側縁との間の幅Ｗ１５に対して好ましくは７０％以上、より好ましくは７５％以上であり、また好ましくは１００％以下、より好ましくは９５％以下であり、また好ましくは７０％以上１００％以下、より好ましくは７５％以上９５％以下である。
【００５７】
以上、本発明の好ましい実施形態について説明したが、本発明は、上述した実施形態に制限されず、本発明の趣旨を逸脱しない範囲で種々変更が可能である。
例えば、本発明の使い捨ておむつは、外装体１０が、着用者の背側に配される背側シート部材と腹側に配される腹側シート部材とに分割されており、吸収性本体が、背側シート部材と腹側シート部材との間に架け渡して固定されているタイプのパンツ型使い捨ておむつであったが、背側部にファスニングテープを有し、該ファスニングテープを腹側部の外面に設けたランディングテープに止着して装着する、いわゆる展開型の使い捨ておむつであっても良い。展開型の使い捨ておむつにおいては、両側縁に、脚廻りの形状に適合するように凹状の切り欠き部を形成した部分を股下部とし、その前後に位置する部分が背側部及び腹側部である。
【００５８】
また、上述した実施形態のおむつ１における弾性部材９を省略することもでき、防漏カフ６，６に配する弾性部材６２や防漏カフ自体を省略することもできる。また、吸収性本体５に、吸収性コア４０の長手方向の両側縁それぞれの外方に延出する一対の側部ギャザーを形成し、該側部ギャザーに配した弾性部材を、吸収性コア４０の幅方向Ｙの外方の部分を立ち上げる弾性部材として利用しても良い。
また、第２実施形態における吸収性コアは、高坪量部が上部吸収層及び下部吸収層の２層で形成されていても良く、低坪量部が単層（例えば、下部吸収層）で形成されていても良い。また、中央折曲誘導部及び側部折曲誘導部それぞれは、連続線状のものに代えて、部分的に不連続な部分を有するものであっても良い。
【符号の説明】
【００５９】
１  使い捨ておむつ
１３  内側接合部
１４  外側接合部
２  表面シート
３  裏面シート
４  吸収体
４０  吸収性コア
４１  高坪量部
４２  低坪量部
４１１  上部吸収層
４１２  下部吸収層
４３  中央折曲誘導部
４４  側部折曲誘導部
５  吸収性本体
６  防漏カフ
７  ウエスト開口部
８  レッグ開口部
１０  外装体
Ａ  腹側部
Ｂ  背側部
Ｃ  股下部
Ｓ  サイドシール部
【図１】
2019118438.tif 000003
【図２】
2019118438.tif 000004
【図３】
2019118438.tif 000005
【図４】
2019118438.tif 000006
【図５】
2019118438.tif 000007
【図６】
2019118438.tif 000008
【図７】
2019118438.tif 000009
【図８】
2019118438.tif 000010
【図９】
2019118438.tif 000011